【手続補正書】
【提出日】平成31年4月17日(2019.4.17)
【手続補正１】
【補正対象書類名】明細書
【補正対象項目名】発明の名称
【補正方法】変更
【補正の内容】
【発明の名称】受信システム、無線周波数モジュールと無線装置
【手続補正２】
【補正対象書類名】特許請求の範囲
【補正対象項目名】全文
【補正方法】変更
【補正の内容】
【特許請求の範囲】
【請求項１】
受信システムであって、
各一つの増幅器が前記受信システムの入力部と前記受信システムの出力部との間にある複数の経路の対応する一つに沿って設けられて前記増幅器が受信した無線周波数（ＲＦ）信号を増幅するべく構成された複数の増幅器と、
一以上のＲＦ信号を一以上の入力マルチプレクサ入力部において受信して前記一以上のＲＦ信号のそれぞれを複数の入力マルチプレクサ出力部の一以上に、前記複数の経路の一以上それぞれに沿って伝播するように出力するべく構成された入力マルチプレクサと、
前記複数の経路の一以上それぞれに沿って伝播する一以上の増幅済みＲＦ信号を一以上の対応出力マルチプレクサ入力部において受信して前記一以上の増幅済みＲＦ信号を複数の出力マルチプレクサ出力部の選択された一つに出力するべく構成された出力マルチプレクサと、
帯域選択信号を受信して前記帯域選択信号に基づき前記入力マルチプレクサ及び前記出力マルチプレクサを制御するべく構成された制御器と
を含み、
前記制御器は、前記一以上のＲＦ信号が単一周波数帯域を含むことを指示する帯域選択信号に応答して前記出力マルチプレクサを制御し、前記単一周波数帯域に対応する出力マルチプレクサ入力部において受信した増幅済みＲＦ信号を、デフォルト出力マルチプレクサ出力部へと引き回すように構成され、
前記デフォルト出力マルチプレクサ出力部は、異なる単一周波数帯域に対して異なる受信システム。
【請求項２】
前記制御器は、前記一以上のＲＦ信号が第１周波数帯域及び第２周波数帯域を含むことを指示する帯域選択信号に応答して前記出力マルチプレクサを制御し、前記第１周波数帯域に対応する出力マルチプレクサ入力部において受信した増幅済みＲＦ信号を第１出力マルチプレクサ出力部へと引き回し、前記第２周波数帯域に対応する出力マルチプレクサ入力部において受信した増幅済みＲＦ信号を第２出力マルチプレクサ出力部へと引き回すべく構成される請求項１の受信システム。
【請求項３】
前記第１周波数帯域及び前記第２周波数帯域は双方ともが高周波数帯域又は低周波数帯域である請求項２の受信システム。
【請求項４】
前記制御器は、前記一以上のＲＦ信号が第１周波数帯域、第２周波数帯域及び第３周波数帯域を含むことを指示する帯域選択信号に応答して前記出力マルチプレクサを制御し、前記第１周波数帯域に対応する出力マルチプレクサ入力部において受信した増幅済みＲＦ信号と前記第２周波数帯域に対応する出力マルチプレクサ入力部において受信した増幅済みＲＦ信号とを結合して結合信号を生成し、前記結合信号を第１出力マルチプレクサ出力部に引き回し、前記第３周波数帯域に対応する出力マルチプレクサ入力部において受信した増幅済みＲＦ信号を、第２出力マルチプレクサ出力部へと引き回すべく構成される請求項１の受信システム。
【請求項５】
前記第１周波数帯域及び第２周波数帯域は、前記第１周波数帯域、第２周波数帯域及び第３周波数帯域の、互いに最も近い周波数帯域である請求項４の受信システム。
【請求項６】
前記第１周波数帯域及び第２周波数帯域は、前記第１周波数帯域、第２周波数帯域及び第３周波数帯域の、最も離れた周波数帯域である請求項４の受信システム。
【請求項７】
前記制御器は、前記一以上のＲＦ信号が多重周波数帯域を含むことを指示する帯域選択信号に応答しかつ送信ラインが使用不能であることを指示する制御器信号に応答して前記出力マルチプレクサを制御し、前記多重周波数帯域に対応する多重出力マルチプレクサ入力部において受信した多重の増幅済みＲＦ信号を結合して結合信号を生成し、前記結合信号を出力マルチプレクサ出力部へと引き回すべく構成される請求項１の受信システム。
【請求項８】
前記制御器は、第１帯域選択信号に応答して前記出力マルチプレクサを制御し、出力マルチプレクサ入力部において受信した増幅済みＲＦ信号を第１出力マルチプレクサ出力部へと引き回し、第２帯域選択信号に応答して前記出力マルチプレクサを制御し、前記出力マルチプレクサ入力部において受信した増幅済みＲＦ信号を第２出力マルチプレクサ出力部へと引き回すべく構成される請求項１の受信システム。
【請求項９】
前記出力マルチプレクサは、
第１出力マルチプレクサ出力部に結合された第１結合器と、
第２出力マルチプレクサ出力部に結合された第２結合器と
を含む請求項１の受信システム。
【請求項１０】
出力マルチプレクサ入力部が、一以上のスイッチを介して前記第１結合器及び前記第２結合器に結合される請求項９の受信システム。
【請求項１１】
前記制御器は、前記一以上のスイッチを制御することにより前記出力マルチプレクサを制御する請求項１０の受信システム。
【請求項１２】
前記一以上のスイッチは２つの単極／単投（ＳＰＳＴ）スイッチを含む請求項１０の受信システム。
【請求項１３】
前記一以上のスイッチは一つの単極／多投（ＳＰＭＴ）スイッチを含む請求項１０の受信システム。
【請求項１４】
前記複数の出力マルチプレクサ出力部にそれぞれ結合された複数の送信ラインをさらに含む請求項１の受信システム。
【請求項１５】
無線周波数（ＲＦ）モジュールであって、
複数の部品を受容するべく構成されたパッケージング基板と、
前記パッケージング基板に実装された受信システムと
を含み、
前記受信システムは
各一つの増幅器が前記受信システムの入力部と前記受信システムの出力部との間にある複数の経路の対応する一つに沿って設けられて前記増幅器において受信した無線周波数（ＲＦ）信号を増幅するべく構成された複数の増幅器と、
一以上の入力マルチプレクサ入力部において一以上のＲＦ信号を受信して前記一以上のＲＦ信号のそれぞれを、前記複数の経路の一以上それぞれに沿って伝播するように複数の入力マルチプレクサ出力部の選択された一以上に出力するべく構成された入力マルチプレクサと、
前記複数の経路の一以上それぞれに沿って伝播する一以上の増幅済みＲＦ信号を、一以上の対応出力マルチプレクサ入力部において受信して前記一以上の増幅済みＲＦ信号のそれぞれを、複数の出力マルチプレクサ出力部の選択された一つに出力するべく構成された出力マルチプレクサと、
帯域選択信号を受信して前記帯域選択信号に基づき前記入力マルチプレクサ及び前記出力マルチプレクサを制御するべく構成された制御器と
を含み、
前記制御器は、前記一以上のＲＦ信号が単一周波数帯域を含むことを指示する帯域選択信号に応答して前記出力マルチプレクサを制御し、前記単一周波数帯域に対応する出力マルチプレクサ入力部において受信した増幅済みＲＦ信号を、デフォルト出力マルチプレクサ出力部へと引き回すように構成され、
前記デフォルト出力マルチプレクサ出力部は、異なる単一周波数帯域に対して異なるＲＦモジュール。
【請求項１６】
前記ＲＦモジュールはダイバーシティ受信器フロントエンドモジュール（ＦＥＭ）である請求項１５のＲＦモジュール。
【請求項１７】
無線装置であって、
第１無線周波数（ＲＦ）信号を受信するべく構成された第１アンテナと、
前記第１アンテナと通信する第１フロントエンドモジュール（ＦＥＭ）と、
通信モジュールと
を含み、
前記第１ＦＥＭは、複数の部品を受容するべく構成されたパッケージング基板を含み、
前記第１ＦＥＭはさらに、前記パッケージング基板に実装された受信システムを含み、
前記受信システムは、
各一つの増幅器が前記受信システムの入力部と前記受信システムの出力部との間にある複数の経路の対応する一つに沿って設けられて前記増幅器において受信した無線周波数（ＲＦ）信号を増幅するべく構成された複数の増幅器と、
一以上の入力マルチプレクサ入力部において一以上のＲＦ信号を受信して前記一以上のＲＦ信号のそれぞれを、前記複数の経路の一以上それぞれに沿って伝播するように複数の入力マルチプレクサ出力部の選択された一以上に出力するべく構成された入力マルチプレクサと、
一以上の対応出力マルチプレクサ入力部において前記複数の経路の一以上それぞれに沿って伝播する一以上の増幅済みＲＦ信号を受信し、前記一以上の増幅済みＲＦ信号のそれぞれを、複数の出力マルチプレクサ出力部の選択された一つへと出力するべく構成された出力マルチプレクサと、
帯域選択信号を受信して前記帯域選択信号に基づき前記入力マルチプレクサ及び前記出力マルチプレクサを制御するべく構成された制御器と
を含み、
前記制御器は、前記一以上のＲＦ信号が単一周波数帯域を含むことを指示する帯域選択信号に応答して前記出力マルチプレクサを制御し、前記単一周波数帯域に対応する出力マルチプレクサ入力部において受信した増幅済みＲＦ信号を、デフォルト出力マルチプレクサ出力部へと引き回すように構成され、
前記デフォルト出力マルチプレクサ出力部は、異なる単一周波数帯域に対して異なり、
前記通信モジュールは、前記第１ＦＥＭからの前記第１ＲＦ信号の処理済みバージョンを、前記複数の出力マルチプレクサ出力部にそれぞれが結合された複数の送信ラインを介して受信し、前記第１ＲＦ信号の処理済みバージョンに基づいてデータビットを生成するべく構成される無線装置。
【請求項１８】
第２無線周波数（ＲＦ）信号を受信するべく構成された第２アンテナと、
前記第２アンテナと通信する第２ＦＥＭと
をさらに含み、
前記通信モジュールは、前記第２ＲＦ信号の処理済みバージョンを前記第２ＦＥＭの出力部から受信し、前記前記第２ＲＦ信号の処理済みバージョンに基づいて前記データビットを生成するべく構成される請求項１７の無線装置。
【請求項１９】
前記単一周波数帯域は高周波数帯域又は低周波数帯域を含む請求項１の受信システム。
【請求項２０】
前記単一周波数帯域は高周波数帯域及び低周波数帯域を含む請求項１の受信システム。